(57)【要約】【課題】交流電源の出力電圧が不安定な場合であっても安定的な点灯状態で点灯させて調光する。【解決手段】交流電源３と照明負荷２との間に電気的に接続される一対の端子１０Ａ、１０Ｂと、一対の端子１０Ａ、１０Ｂの間に電気的に接続され、照明負荷２に供給する交流電圧を導通／遮断するスイッチ２０と、一対の端子１０Ａ、１０Ｂの間にスイッチ２０と並列に電気的に接続され、印加される電圧値と所定の電圧値とを比較する電圧比較回路３０と、照明負荷２の出力の大きさを規定する調光レベルを受け付ける受付部４０と、電圧比較回路３０の出力と調光レベルに応じてスイッチ２０を制御する制御部５０と、を備える調光装置１を提供する。また、所定の電圧値は可変であってもよい。【選択図】図１
2019133958.tif 000002
【特許請求の範囲】
【請求項１】
交流電源と照明負荷との間に電気的に接続される一対の端子と、
前記一対の端子の間に電気的に接続され、前記照明負荷に供給する交流電圧を導通／遮断するスイッチと、
前記一対の端子の間に前記スイッチと並列に電気的に接続され、印加される電圧値と所定の電圧値とを比較する電圧比較回路と、
前記照明負荷の出力の大きさを規定する調光レベルを受け付ける受付部と、
前記電圧比較回路の出力と前記調光レベルに応じて前記スイッチを制御する制御部と、
を備える調光装置。
【請求項２】
前記所定の電圧値は、可変であることを特徴とする請求項１に記載の調光装置。
【請求項３】
前記電圧比較回路が出力する信号が、印加される電圧値が前記所定の電圧値以上になったことを示す場合に、前記制御部は、前記スイッチを導通するように制御することを特徴とする請求項１または２に記載の調光装置。
【請求項４】
前記制御部は、前記スイッチを導通するように制御した後、前記調光レベルに応じた時間経過時に前記スイッチを遮断するように制御することを特徴とする請求項３に記載の調光装置。
【請求項５】
交流電源と照明負荷との間に電気的に接続される一対の端子と、
前記一対の端子の間に電気的に接続され、前記照明負荷に供給する交流電圧を導通／遮断するスイッチと、
前記一対の端子の間に前記スイッチと並列に電気的に接続され、印加される電圧値が所定の電圧値以上になるとその旨の信号を出力する電圧信号回路と、
前記照明負荷の出力の大きさを規定する調光レベルを受け付ける受付部と、
前記電圧信号回路の出力と前記調光レベルに応じて前記スイッチを制御する制御部と、
を備える調光装置。
【発明の詳細な説明】
【技術分野】
【０００１】
本発明は、照明負荷を調光する調光装置に関する。
【背景技術】
【０００２】
従来から、ＬＥＤ（Ｌｉｇｈｔ Ｅｍｉｔｔｉｎｇ Ｄｉｏｄｅ）素子などを光源とする照明負荷を調光する技術が提案されている。例えば、特許文献１は、照明負荷の点灯状態をより安定して維持することが可能な調光装置を開示する。この調光装置、一対の端子と、一対の端子間に接続された開閉部と、開閉部を制御する制御部と、制御部に電力を供給する電源部と、開閉部の導通角を設定する設定部とを備える。開閉部は、スイッチング素子を備える。制御部は、スイッチング素子を駆動する駆動回路と、交流電圧のゼロクロスを検出するゼロクロス検出回路と、設定部により設定された開閉部の導通角に対応するオンデューティ比を含むＰＷＭ信号を駆動回路へ出力する出力回路とを備える。制御部は、照明負荷を逆位相制御するように構成されている。出力回路は、ゼロクロス検出回路により交流電圧のゼロクロスが検出された時点から所定期間が経過した後、ＰＷＭ信号を駆動回路へ出力するように構成されている。
【先行技術文献】
【特許文献】
【０００３】
【特許文献１】特開２０１５−１９８０７４号公報
【発明の概要】
【発明が解決しようとする課題】
【０００４】
ＬＥＤ素子等を光源とする照明負荷は、供給を受ける電圧が低い場合点灯状態が不安定になりちらつく場合がある。したがって、特許文献１のように、交流電圧のゼロクロス時点から所定の時間経過後に照明負荷に交流電圧を供給することは望ましい。しかし、交流電源の出力電圧が不安定な場合、所定の時間経過を基準として照明負荷に交流電圧を供給すると、照明負荷の点灯状態が不安定な電圧で供給を始め、逆に点灯状態が安定する電圧の下限を大きく超えた電圧以上にならないと電圧の供給を始めない状況が起こり得る。後者の場合は、調光レベルに応じた交流電圧の供給時間を確保できないため設定した調光レベルより暗くなってしまう場合もあり得る。
【０００５】
本発明は、かかる事情を鑑みて考案されたものであり、交流電源の出力電圧が不安定な場合であっても安定的な点灯状態で点灯させて調光する調光装置を提供するものである。
【課題を解決するための手段】
【０００６】
上記課題を解決するために、交流電源と照明負荷との間に電気的に接続される一対の端子と、一対の端子の間に電気的に接続され、照明負荷に供給する交流電圧を導通／遮断するスイッチと、一対の端子の間にスイッチと並列に電気的に接続され、印加される電圧値と所定の電圧値とを比較する電圧比較回路と、照明負荷の出力の大きさを規定する調光レベルを受け付ける受付部と、電圧比較回路の出力と調光レベルに応じてスイッチを制御する制御部と、を備える調光装置が提供される。
これによれば、印加される電圧値と所定の電圧値とを比較し、その比較結果と調光レベルに応じて照明負荷に交流電圧を供給することにより、所定の電圧値を基準として交流電圧の供給を開始でき、交流電源の出力電圧が不安定な場合であっても安定的な点灯状態で点灯させて調光する調光装置を提供することができる。
【０００７】
さらに、所定の電圧値は可変であることを特徴としてもよい。
これによれば、所定の電圧値は可変であることで、様々な種類の照明負荷に応じた所定の電圧値を基準として照明負荷に交流電圧の供給を開始し、様々な種類の照明負荷に対しても安定的な点灯状態で点灯させて調光することができる。
【０００８】
さらに、電圧比較回路が出力する信号が、印加される電圧値が所定の電圧値以上になったことを示す場合に、制御部は、スイッチを導通するように制御することを特徴としてもよい。
これによれば、印加される電圧値が所定の電圧値以上になった場合に交流電圧の供給を開始することで、所定の電圧値を基準として照明負荷に交流電圧の供給を開始し、交流電源の出力電圧が不安定な場合であっても安定的な点灯状態で点灯させて調光することができる。
【０００９】
さらに、制御部は、スイッチを導通するように制御した後、調光レベルに応じた時間経過時にスイッチを遮断するように制御することを特徴としてもよい。
これによれば、印加される電圧値が所定の電圧値以上になり交流電圧を供給し始めた後調光レベルに応じた時間経過時に交流電圧の供給を止めることで、交流電源の出力電圧が不安定な場合であっても安定的な点灯状態で点灯させると共に十分な調光レベルを確保することができる。
【００１０】
上記課題を解決するために、交流電源と照明負荷との間に電気的に接続される一対の端子と、一対の端子の間に電気的に接続され、照明負荷に供給する交流電圧を導通／遮断するスイッチと、一対の端子の間にスイッチと並列に電気的に接続され、印加される電圧値が所定の電圧値以上になるとその旨の信号を出力する電圧信号回路と、照明負荷の出力の大きさを規定する調光レベルを受け付ける受付部と、電圧比較回路の出力と調光レベルに応じてスイッチを制御する制御部と、を備える調光装置が提供される。
これによれば、印加される電圧値が所定の電圧値以上になるとその旨の信号を出力する電圧信号回路を備えることで、所定の電圧値を基準として交流電圧の供給を開始でき、交流電源の出力電圧が不安定な場合であっても安定的な点灯状態で点灯させて調光する調光装置を提供することができる。
【発明の効果】
【００１１】
以上説明したように、本発明によれば、交流電源の出力電圧が不安定な場合であっても様々な種類の照明負荷に応じた安定的な点灯状態で点灯させて調光する調光装置を提供することができる。
【図面の簡単な説明】
【００１２】
【図１】本発明に係る第一実施例の調光装置の構成を示す概略回路図である。
【図２】本発明に係る第一実施例の調光装置の動作を示すタイミングチャートである。
【図３】所定の時間経過を基準として交流電圧を供給する場合において、交流電源の電圧が不安定な場合に供給する交流電圧の違いを示す図である。
【図４】本発明に係る第二実施例の調光装置の構成を示す概略回路図である。
【図５】本発明に係る第二実施例の調光装置の動作を示すタイミングチャートである。
【図６】本発明に係る第三実施例の調光装置の構成を示す概略回路図である。
【発明を実施するための形態】
【００１３】
以下では、図面を参照しながら、本発明に係る各実施例について説明する。
＜第一実施例＞
図１および図２を参照し、本実施例における調光装置１を説明する。調光装置１は、図１に示すように、一対の端子１０Ａ、１０Ｂと、スイッチ２０と、電圧比較回路３０と、受付部４０と、制御部５０と、交流先頭値制御回路６０と、電源部７０と、整流ダイオードＤ１、Ｄ２とを備える。
【００１４】
一対の端子１０Ａ、１０Ｂは、照明負荷２と交流電源３との間に電気的に接続される。スイッチ２０は、一対の端子１０Ａ、１０Ｂ間において、双方向の電流の導通／遮断を切り替えるように構成されている。受付部４０は、照明負荷２の光出力の大きさを規定する調光レベルを受け付ける。電源部７０は、一対の端子１０Ａ、１０Ｂ間に電気的に接続され、交流電源３からの供給電力により制御電源を生成すると共に電圧比較回路３０に基準電圧を供給する。交流先頭値制御回路６０は、一対の端子１０Ａ、１０Ｂ間にスイッチ２０と並列に電気的に接続されて後段の電圧比較回路３０に過剰な電圧が印加されることを防止するため電圧波形の先頭値を制限する。電圧比較回路３０は、交流先頭値制御回路６０が出力する電圧値と所定の電圧値とを比較し、その比較結果を出力する。制御部５０は、電圧比較回路３０の出力と受付部４０が受け付けた調光レベルに基づきスイッチ２０を制御する。
【００１５】
照明負荷２は、例えば、ＬＥＤ（Ｌｉｇｈｔ Ｅｍｉｔｔｉｎｇ Ｄｉｏｄｅ）を有する光源と光源を点灯するための点灯回路とを備える照明器具である。照明負荷２は、調光装置１の制御により交流電源３から電力供給を受けると光源が点灯する。光源は、ＬＥＤ素子に限らず、インピーダンスが高く少ない電流で点灯するたとえば有機ＥＬ（Ｅｌｅｃｔｒｏｌｕｍｉｎｅｓｃｅｎｃｅ）素子であってもよい。交流電源３は、例えば、単相１００〔Ｖ〕、５０〔Ｈｚ〕の商用電源である。
【００１６】
一対の端子１０Ａ、１０Ｂは、照明負荷２と交流電源３との間に電気的に接続される。調光装置１は、２線式の調光装置であり、一対の端子１０Ａ、１０Ｂで照明負荷２と交流電源３との間に接続されると、照明負荷２と交流電源３と電気的に直列に接続された状態で使用される。一対の端子１０Ａ、１０Ｂは、電線等に電気的に接続するためのものであれば特に限定されず、たとえば、コネクタ、リード線、基板に含まれる導体などであってもよい。
【００１７】
スイッチ２０は、一対の端子１０Ａ、１０Ｂ間において、制御部５０の制御に基づき交流電源３により生ずる双方向の電流の導通／遮断（非導通）を切り替え可能に構成される。スイッチ２０は、電気的に直列に接続された２つの半導体スイッチング素子Ｑ１、Ｑ２からなる。半導体スイッチング素子Ｑ１、Ｑ２は、例えば、ｎチャネルＭＯＳＦＥＴ（Ｍｅｔａｌ−Ｏｘｉｄｅ−Ｓｅｍｉｃｏｎｄｕｃｔｏｒ Ｆｉｅｌｄ Ｅｆｆｅｃｔ Ｔｒａｎｓｉｓｔｏｒ）である。半導体スイッチング素子Ｑ１、Ｑ２は、ソース同士が互いに接続され、半導体スイッチング素子Ｑ１のドレインが端子１０Ａに、半導体スイッチング素子Ｑ２のドレインが端子１０Ｂに接続され、一対の端子１０Ａ、１０Ｂ間の双方向の電流の導通／遮断を切り替える。本実施例では、スイッチ２０は、２つのＭＯＳＦＥＴから構成されるが、双方向サイリスタであってもよい。
【００１８】
受付部４０は、ユーザによって操作される操作部（図示せず）から、照明負荷２の出力の大きさを規定する調光レベルを表す信号を受け付け、制御部５０に調光信号Ｄｍとして出力する。調光信号Ｄｍとは、照明負荷２の光出力の大きさを指定する数値等であって、照明負荷２を消灯状態から全灯状態までの全ての状態を表すことが好ましい。なお、操作部は、ユーザの操作を受けて受付部４０に調光レベルを表す信号を出力する構成であればよく、例えば可変抵抗器やロータリ／スライドスイッチ、タッチパネル、リモートコントローラ等の通信端末などである。
【００１９】
電源部７０は、一対の端子１０Ａ、１０Ｂ間に電気的に接続され、交流電源３から制御部５０に電力を供給するための制御電源等を生成する。電源部７０は、制御部５０のドライバー５２を駆動するための駆動電源を生成するドライバー電源７１と、制御部５０のマイコン制御部５１に電力を供給するための制御部電源７２とを有する。電源部７０は、整流ダイオードＤ１を介して端子１０Ａに電気的に接続され、整流ダイオードＤ２を介して端子１０Ｂに電気的に接続されている。これにより、スイッチ２０がオフ（遮断または非導通）のときに、電源部７０には、整流ダイオードＤ１、Ｄ２にて整流された交流電圧Ｖ０が印加されることになる。ドライバー電源７１は、交流電圧Ｖ０からドライバー５２を駆動するのに適した電圧（たとえば１２Ｖ）に降圧する。制御部電源７２は、ドライバー電源７１が出力する電圧をさらに降圧しマイコン制御部５１に供給するのに適した電圧（たとえば３Ｖ）を生成する。また、制御部電源７２は、電圧比較回路３０に基準電圧を供給する。
【００２０】
交流先頭値制御回路６０は、一対の端子１０Ａ、１０Ｂ間にスイッチ２０と並列に電気的に接続されて後段の電圧比較回路３０に過剰な電圧が印加されることを防止する。交流先頭値制御回路６０は、抵抗Ｒ１とツェナーダイオードＺ１を有している。抵抗Ｒ１は、整流ダイオードＤ１を介して端子１０Ａに電気的に接続され、整流ダイオードＤ２を介して端子１０Ｂに電気的に接続されている。ツェナーダイオードＺ１は、抵抗Ｒ１とグランドとの間に電気的に直列に接続されている。抵抗Ｒ１は、ツェナーダイオードＺ１の降伏状態を維持するかつツェナーダイオードＺ１を破壊しない電流を流すように、また後段の電圧比較回路３０へ出力する電圧値Ｖｉｎｎとして適するように適宜定められる。交流先頭値制御回路６０は、電源部７０と同様に交流電圧Ｖ０が印加されるので、ツェナーダイオードＺ１の降伏電圧Ｖｚ１以上の電圧が電圧比較回路３０に印加されないように抑制し、電圧波形の先頭値を制限した電圧値Ｖｉｎｎを出力する。
【００２１】
電圧比較回路３０は、交流先頭値制御回路６０が出力する電圧値Ｖｉｎｎを入力され、この印加される電圧（電圧値Ｖｉｎｎ）の大きさ（絶対値）と所定の電圧値Ｖｉｎｐの大きさ（絶対値）とを比較し、その比較結果を出力Ｖｏｕｔとして出力する。なお、所定の電圧値とは、一つに定まった電圧をいうのではなく、照明負荷２の種類に対応して変化させて設定できるように構成することが好ましい。すなわち、所定の電圧値は可変であることが好ましい。電圧比較回路３０は、オペアンプＯＰ１と可変抵抗ＶＲ１を有する。オペアンプＯＰ１の反転入力端子（−）には、交流先頭値制御回路６０が出力する電圧値Ｖｉｎｎが入力され、非反転入力端子（＋）には、可変抵抗ＶＲ１による降下電圧を電圧値Ｖｉｎｐとして入力される。
【００２２】
また、オペアンプＯＰ１の正電源には制御部電源７２が生成した電圧が印加され、負電源にはグランドが接続されている。可変抵抗ＶＲ１の降下電圧がゼロの場合、制御部電源７２が生成した電圧が電圧値Ｖｉｎｐとして非反転入力端子（＋）に入力され、可変抵抗ＶＲ１の降下電圧が最大すなわち接地した場合、ゼロ（ボルト）が電圧値Ｖｉｎｐとして非反転入力端子（＋）に入力される。可変抵抗ＶＲ１の降下電圧がゼロと最大の中間にある場合、可変抵抗ＶＲ１により分圧された電圧が電圧値Ｖｉｎｐとして非反転入力端子（＋）に入力される。
【００２３】
可変抵抗ＶＲ１の分圧電圧Ｖｓは、設定部（図示せず）により様々な種類の照明負荷２に応じて設定される。照明負荷２が比較的小さな電圧でも安定した点灯状態となる種類である場合、分圧電圧Ｖｓは比較的小さな値に設定される。逆に、照明負荷２が比較的大きな電圧にならないと安定した点灯状態にならない種類である場合、分圧電圧Ｖｓは比較的大きな値に設定される。なお、照明負荷２の種類が定まれば可変抵抗ＶＲ１の分圧電圧Ｖｓを変更することは稀なので、設定部はマイナスドライバーやプラスドライバーなどの器具を用いて回転させて設定するようにしてもよい。
【００２４】
オペアンプＯＰ１は、可変抵抗ＶＲ１から非反転入力端子（＋）に入力される電圧値Ｖｉｎｐと、交流先頭値制御回路６０から反転入力端子（−）に入力される電圧値Ｖｉｎｎを比較し、その比較結果を出力Ｖｏｕｔとして出力する。つまり、電圧値Ｖｉｎｐと電圧値Ｖｉｎｎを比較し、電圧値Ｖｉｎｐが電圧値Ｖｉｎｎより高ければ出力Ｖｏｕｔは、正電源の電圧（制御部電源７２の出力電圧）を出力し、電圧値Ｖｉｎｐが電圧値Ｖｉｎｎより低ければ出力Ｖｏｕｔは負電源の電圧（ゼロ）を出力する。
【００２５】
そうすると、電圧比較回路３０は、可変抵抗ＶＲ１で設定される分圧電圧Ｖｓ（電圧値Ｖｉｎｐ）が、交流先頭値制御回路６０を介して入力される交流電源３の交流電圧Ｖ０（電圧値Ｖｉｎｎ）より高ければ出力Ｖｏｕｔは正となり、逆に、交流電圧Ｖ０が分圧電圧Ｖｓより高ければ出力Ｖｏｕｔはゼロとなる。なお、本実施例では、可変抵抗ＶＲ１で設定される分圧電圧Ｖｓを非反転入力端子（＋）に、交流先頭値制御回路６０を介した交流電源３の交流電圧Ｖ０を反転入力端子（−）に入力したが、この逆であってもよい。
【００２６】
制御部５０は、制御入力端子を通して入力される電圧比較回路３０の出力Ｖｏｕｔと受付部４０が受け付けた調光レベルに応じてスイッチ２０を制御する。制御部５０は、マイコン制御部５１とドライバー５２を有する。マイコン制御部５１は、制御部電源７２から制御電源の供給を受けて動作するマイクロコンピュータを主構成として備えている。マイクロコンピュータは、マイクロコンピュータのメモリに記録されているプログラムをＣＰＵ（Ｃｅｎｔｒａｌ Ｐｒｏｃｅｓｓｉｎｇ Ｕｎｉｔ）で実行する。プログラムには後述するマイコン制御部５１の機能が実現されている。プログラムは、予めマイクロコンピュータのメモリに記録されていてもよいし、ＵＳＢメモリのような記録媒体に記録されて提供されてもよい。
【００２７】
ドライバー５２は、半導体スイッチング素子Ｑ１、Ｑ２を駆動しオン／オフ制御（導通／遮断制御）する。ドライバー５２は、半導体スイッチング素子Ｑ１、Ｑ２をそれぞれ駆動するように内部に個別のドライバーを有する。ドライバー５２は、マイコン制御部５１から制御信号を受けて、半導体スイッチング素子Ｑ１、Ｑ２のゲート電圧に印加する。ドライバー５２は、ドライバー電源７１から駆動電源の供給を受け、半導体スイッチング素子Ｑ１、Ｑ２のソースの電位を基準にしてゲート電圧を生成する。
【００２８】
制御部５０は、半導体スイッチング素子Ｑ１、Ｑ２をそれぞれオン／オフ制御する。オン／オフ制御の状態としては、半導体スイッチング素子Ｑ１、Ｑ２が両方オン状態、両方オフ状態、いずれかのみがオン状態（またはオフ状態）、がある。いずれかのみがオン状態の時には、オフの方の半導体スイッチング素子Ｑ１、Ｑ２の寄生ダイオード（図示せず）を通して一方向のみに導通する。一対の端子１０Ａ、１０Ｂの間に交流電源３から交流電圧Ｖ０が印加されると、交流電圧Ｖ０の半周期においてのみ導通するが、残りの半周期においては遮断される。本実施例では、制御部５０は、半導体スイッチング素子Ｑ１、Ｑ２のいずれかのみがオン状態の状態を使用せず、半導体スイッチング素子Ｑ１、Ｑ２を両方オン状態とすることでスイッチ２０をオンに制御し、両方オフ状態とすることでスイッチ２０をオフに制御する。
【００２９】
制御部５０は、電圧比較回路３０が出力する信号である出力Ｖｏｕｔが正からゼロに変化したことを検知すると、スイッチ２０をオフ状態からオン状態に制御（導通制御）する。これにより、照明負荷２は交流電源３から電力の供給を受け、点灯を開始する。制御部５０は、受付部４０から得られる調光信号Ｄｍに応じた時間、スイッチ２０のオン状態を維持するように制御する。制御部５０は、調光レベルとスイッチ２０のオン時間との対応関係を有し、調光信号Ｄｍに応じたスイッチ２０のオン時間は、受付部４０が受けつけた調光レベルに対応している。
【００３０】
制御部５０は、スイッチ２０を導通するように制御した後、調光レベルに応じた時間経過時にスイッチ２０を遮断するように制御する。制御部５０は、交流電源３の交流電圧Ｖ０の半周期の途中までの期間スイッチ２０を導通させて、その後遮断する、所謂逆位相制御を行う。制御部５０は、交流電源３の交流電圧Ｖ０の半周期毎にスイッチ２０をオンする時間の長さを、調光レベルに応じて維持する。そのため、交流電圧Ｖ０の半周期において一対の端子１０Ａ、１０Ｂ間が導通する時間は、調光レベルに従って規定される。
【００３１】
すなわち、照明負荷２の光出力を小さくする場合にはオン時間は短く、照明負荷２の光出力を大きくする場合にはオン時間は長くなる。交流周期のゼロクロス時点から所定の時間経過を基準としてスイッチ２０のオン／オフ制御を行うと、交流電源３の出力電圧が不安定な場合過剰な電圧（照明負荷２の点灯状態が安定する電圧の下限を超えた電圧）にならないと供給を開始しない場合がある。その場合、照明負荷２への電圧の供給が遅れて調光レベルに応じたオン時間を確保できないことが起こり得る。
【００３２】
たとえば、図３は、所定の時間経過を基準として交流電圧を供給する場合において、交流電源の最大電圧値が上下に変動し不安定な場合に供給する交流電圧の違いを示す。本図に示すように、ゼロクロス時点から所定の時間ｔ１が経過した時の交流電圧Ｖ０は、最大電圧値の最小時（一点鎖線）から最大時（点線）までの変動がある場合Ｖ０ＬからＶ０Ｈまでの間で変動してしまう。そうすると、照明負荷２の点灯状態が安定する電圧未満で照明負荷２を点灯させようとしたり、点灯状態が安定する電圧の下限を大きく超えた電圧以上にならないと電圧の供給を始めない状況が起こり得る。後者の場合は、調光レベルに応じた交流電圧の供給時間を確保できないため設定した調光レベルより暗くなってしまう場合もあり得る。
【００３３】
しかし、たとえ交流電源３が不安定な場合であっても、点灯状態が安定する所定の電圧値を基準としてスイッチ２０のオン／オフ制御を行うと、照明負荷２が安定した点灯状態で点灯できる電圧になった時から供給を開始できるので、交流電圧Ｖ０の半周期において調光レベルに応じたオン時間を確保し易くなる。したがって、所定の電圧値を基準としてオン／オフ制御を行うと、交流電源３の出力電圧が不安定な場合であっても安定的な点灯状態で点灯させると共に十分な調光レベルを確保することができる。なお、交流電源３の出力電圧が不安定な場合とは、最大電圧値が上下に変動する場合や、電圧波形が時間軸方向にずれる場合などである。また、交流周期のゼロクロス時点から所定の時間経過を基準として制御する場合はゼロクロスを検出するための回路が必要となるが、所定の電圧値を基準として制御する場合はそのような検出回路は不要となる。
【００３４】
電圧比較回路３０が出力する信号の出力Ｖｏｕｔが正からゼロに変化したということは、交流電圧Ｖ０の半周期において、印加される交流電圧Ｖ０（Ｖｉｎｎ）が所定の電圧値（Ｖｉｎｐ）以上になったことを示すものである。このように、印加される電圧値が所定の電圧値以上になった場合に交流電圧Ｖ０を照明負荷２に供給することで、交流電源３の出力電圧が不安定な場合であっても安定的な点灯状態で点灯させて調光することができる。
【００３５】
そして、所定の電圧値が可変であると、印加される交流電圧Ｖ０が所定の電圧値以上になるタイミングが交流電圧Ｖ０の半周期の中で早くなったり遅くなったりする。そうすると、比較的大きな電圧まで点灯状態が安定しない照明負荷２に対しては所定の電圧値を大きくし、比較的小さな電圧で点灯状態が安定する照明負荷２に対しては所定の電圧値を小さくすることができる。このように、様々な種類の照明負荷２に応じた所定の電圧値を基準として照明負荷２に交流電圧Ｖ０を供給し、様々な種類の照明負荷２に対しても安定的な点灯状態で点灯させて調光することができる。
【００３６】
図２を参照して、調光装置１の動作を説明する。本図では、上から順に、（Ａ）交流電源３の交流電圧Ｖ０、（Ｂ）交流先頭値制御回路６０が出力し電圧比較回路３０のオペアンプＯＰ１の反転入力端子（−）に入力される電圧値Ｖｉｎｎ、（Ｃ）可変抵抗ＶＲ１の分圧電圧ＶｓでありオペアンプＯＰ１の非反転入力端子（＋）に入力される電圧値Ｖｉｎｐ、（Ｄ）電圧値Ｖｉｎｐと電圧値Ｖｉｎｎの比較結果である出力Ｖｏｕｔ、（Ｅ）スイッチ２０の半導体スイッチング素子Ｑ１、Ｑ２のオン／オフ状態を示している。
【００３７】
なお、本図では、スイッチ２０が導通している期間は、一対の端子１０Ａ、１０Ｂ間が短絡するので、実際には電圧値Ｖｉｎｎはゼロ（ボルト）になるが、交流先頭値制御回路６０に印加される電圧には変動がないものとして電圧値Ｖｉｎｎを表している。また、交流先頭値制御回路６０に印加される電圧は、実際には整流ダイオードＤ１、Ｄ２で整流されているので後半の半周期では前半の半周期と同じく正の電圧値となるが、本図（Ｂ）では交流電圧Ｖ０に合わせて負側に表している。本図（Ｃ）も同様である。
【００３８】
本図（Ａ）では交流電源３の交流電圧Ｖ０の約１周期を示す。これに合わせて、本図（Ｂ）では、交流電圧Ｖ０の電圧波形を点線で示すと共に、交流先頭値制御回路６０が電圧波形の先頭値をツェナーダイオードＺ１の降伏電圧Ｖｚ１に制限して出力する電圧波形を実線で示す。この実線で示す波形は、電圧値Ｖｉｎｎを示す。これにより、電圧値Ｖｉｎｎは、交流電圧Ｖ０のゼロクロス近傍では交流電圧Ｖ０と同じ値となるが、電圧比較回路３０のオペアンプＯＰ１の反転入力端子（−）に入力する電圧の許容値（降伏電圧Ｖｚ１未満）を超えないようになる。
【００３９】
本図（Ｃ）は、オペアンプＯＰ１の非反転入力端子（＋）に入力される電圧値Ｖｉｎｐを実線で示す。なお、細点線は電圧値Ｖｉｎｎを示す。電圧値Ｖｉｎｐは、「所定の電圧値」であり、可変抵抗ＶＲ１の分圧電圧Ｖｓである。分圧電圧Ｖｓは、可変抵抗ＶＲ１による降下電圧がゼロから最大値（接地）までの変化に応じて変化し（図内のＶｒ）、最小でゼロ（可変抵抗ＶＲ１が接地状態）、最大でツェナーダイオードＺ１の降伏電圧Ｖｚ１を超えないように設定される。太点線は、分圧電圧Ｖｓの最小値と最大値を示す。
【００４０】
分圧電圧Ｖｓは、様々な種類の照明負荷２に対応して可変抵抗ＶＲ１を調節して設定される。照明負荷２が比較的小さな電圧でも安定した点灯状態となる種類である場合、分圧電圧Ｖｓは比較的小さな値に適宜設定される。逆に、照明負荷２が比較的大きな電圧にならないと安定した点灯状態にならない種類である場合、分圧電圧Ｖｓは比較的大きな値に適宜設定される。
【００４１】
本図（Ｄ）が示すように、交流電圧Ｖ０のゼロクロス近傍では電圧比較回路３０に印加される電圧値Ｖｉｎｎは所定の電圧値である分圧電圧Ｖｓすなわち電圧値Ｖｉｎｐより小さいので、電圧比較回路３０は、出力Ｖｏｕｔとして正電源の電圧を出力する。そして、印加される電圧値Ｖｉｎｎが交流電圧Ｖ０に従って増加し分圧電圧Ｖｓを超えると、電圧比較回路３０は、出力Ｖｏｕｔとして負電源の電圧（ゼロ）を出力する。
【００４２】
本図（Ｅ）が示すように、制御部５０は、出力Ｖｏｕｔが正からゼロに変化したことを検知すると、スイッチ２０をオフ状態からオン状態に制御（導通制御）し、照明負荷２に電力を供給し点灯を開始する。その時、照明負荷２に供給する交流電圧Ｖ０はＶ０ｏｎである。制御部５０は、調光レベルを示す調光信号Ｄｍに応じた時間、スイッチ２０のオン状態を維持するように制御する。制御部５０は、スイッチ２０を導通するように制御した後、調光レベルに応じた時間経過時にスイッチ２０を遮断するように制御する。本図（Ｅ）では、半周期の終わりのゼロクロス近傍で電圧値Ｖｉｎｎが分圧電圧Ｖｓより小さくなると出力Ｖｏｕｔを正にし、スイッチ２０を遮断するように表されているが、これに限らず、制御部５０は、スイッチ２０をゼロクロスまで導通するように制御してもよい。
【００４３】
このように、電圧比較回路３０に印加される電圧値Ｖｉｎｎと所定の電圧値（ＶｉｎｐまたはＶｓ）とを比較し、その比較結果の出力Ｖｏｕｔと調光レベルを示す調光信号Ｄｍに応じて照明負荷２に交流電圧Ｖ０を供給することにより、所定の電圧値を基準として交流電圧Ｖ０の供給を開始でき、交流電源３の出力電圧が不安定な場合であっても安定的な点灯状態で点灯させて調光する調光装置１を提供することができる。
【００４４】
なお、電圧比較回路３０における印加される電圧値Ｖｉｎｎと所定の電圧値（ＶｉｎｐまたはＶｓ）との比較において、「以上」とするところは「より大きい」と同義であってよい。所定の電圧値の設定次第で任意に変更できるので、「以上」か「より大きい」かに技術上の差異はない。同様に、「未満」においても「以下」と同義であってもよい。これは、以下においても同様である。
【００４５】
＜第二実施例＞
図４および図５を参照し、本実施例における調光装置１Ａを説明する。本実施例の説明では、上記実施例の説明との重複記載を避けるために、同じ構成要素には同じ符号を付して説明を省略し、異なる構成要素を中心に説明する。調光装置１Ａは、図４に示すように、一対の端子１０Ａ、１０Ｂと、スイッチ２０と、電圧信号回路３０Ａと、受付部４０と、制御部５０と、電源部７０と、整流ダイオードＤ１、Ｄ２とを備える。なお、本実施例では、上記実施例ではあった交流先頭値制御回路６０を図示せず含まないが、一対の端子１０Ａ、１０Ｂ間にスイッチ２０と並列に電気的に接続されて後段の電圧信号回路３０Ａに過剰な電圧が印加されることを防止するため電圧波形の先頭値を制限するために含むことが好ましい。
【００４６】
電圧信号回路３０Ａは、整流ダイオードＤ１／Ｄ２を介して端子１０Ａ／１０Ｂに電気的に接続されて交流電源３の交流電圧Ｖ０を印加され、この印加される電圧値が所定の電圧値以上または未満の場合に異なる電圧レベルを出力するように構成されている。具体的には、電圧信号回路３０Ａは、可変抵抗ＶＲ２と、抵抗Ｒ３と、トランジスタＴＲとを有する。可変抵抗ＶＲ２の一端は、整流ダイオードＤ１を介して端子１０Ａに、整流ダイオードＤ２を介して端子１０Ｂに電気的に接続され、他端は、接地されている。抵抗Ｒ３とトランジスタＴＲは、電気的に直列に接続され、抵抗Ｒ３の一端とトランジスタＴＲのコレクタが接続されている。抵抗Ｒ３の他端は、制御部電源７２からの電力を供給する制御部５０の正極端子に、トランジスタＴＲのエミッタは、接地された制御部５０の負極端子に接続されている。すなわち、抵抗Ｒ３は高電位側に、トランジスタＴＲは低電位側に配置されている。なお、トランジスタＴＲは、ｎｐｎ型のバイポーラトランジスタからなる。
【００４７】
トランジスタＴＲのベースは、可変抵抗ＶＲ２の可変部に接続され、可変抵抗ＶＲ２の可変部により分圧されて降下した電圧を電圧値Ｖｉｎとして入力される。可変抵抗ＶＲ２の可変部は、設定部（図示せず）により様々な種類の照明負荷２に対応して設定される。トランジスタＴＲと抵抗Ｒ３との接続部は、制御部５０の制御入力端子に電気的に接続され、その電圧値を出力Ｖｏｕｔとして出力する。トランジスタＴＲがオンの場合すなわち導通した場合、トランジスタＴＲと抵抗Ｒ３との接続部は接地するため出力Ｖｏｕｔは電圧値としてゼロ（Ｌレベル）である。トランジスタＴＲがオフの場合トランジスタＴＲと抵抗Ｒ３との接続部は接地されないため出力Ｖｏｕｔは正の電圧値（Ｈレベル）である。したがって、電圧信号回路３０Ａは、トランジスタＴＲがオフの場合にはＨレベルの電圧値を、オンの場合にはＬレベルの電圧値を出力する。
【００４８】
トランジスタＴＲは、ベースとエミッタ間にトランジスタＴＲにより定められた電圧Ｖｂｓが付加されるとオンし、コレクタとエミッタ間が導通する。ベースには、交流電圧Ｖ０が可変抵抗ＶＲ２により分圧されて降下した電圧が電圧値Ｖｉｎとして入力される。電圧値ＶｉｎがトランジスタＴＲにより定められた電圧Ｖｂｓ未満の場合トランジスタＴＲはオフであり、電圧値ＶｉｎがトランジスタＴＲにより定められた電圧Ｖｂｓ以上の場合トランジスタＴＲはオンとなる。抵抗Ｒ３は、トランジスタＴＲがオン時にショートしないように適宜定められる。
【００４９】
図５（Ａ）は、トランジスタＴＲのベースに印加される電圧値Ｖｉｎを示す（ゼロクロス近傍のみ）。本図では、交流電圧Ｖ０は点線で示されるが、トランジスタＴＲのベースに印加される電圧値Ｖｉｎは、可変抵抗ＶＲ２により分圧されて降下した２種類の電圧値、Ｖｈ（細実線）とＶｌ（太実線）として示されている。可変抵抗ＶＲ２の可変部の位置が整流ダイオードＤ１またはＤ２に比較的近い場合電圧降下は小さいため、電圧値Ｖｉｎは比較的交流電圧Ｖ０に近いＶｈの電圧値となる。逆に、可変抵抗ＶＲ２の可変部の位置がグランドに比較的近い場合電圧降下は大きいため、電圧値ＶｉｎはＶｈより小さいＶｌの電圧値となる。
【００５０】
図５（Ｂ）に示すように、電圧値ＶｉｎがＶｈである場合、電圧値Ｖｉｎが電圧Ｖｂｓ未満である間トランジスタＴＲはオフなので電圧信号回路３０ＡはＨレベルの電圧値を出力するが、電圧値Ｖｉｎが電圧Ｖｂｓ以上になるとトランジスタＴＲがオンになりＬレベルの電圧値を出力する。同様に、図５（Ｃ）に示すように、電圧値ＶｉｎがＶｌである場合、電圧値Ｖｉｎが電圧Ｖｂｓ未満である間電圧信号回路３０ＡはＨレベルの電圧値を出力するが、電圧値Ｖｉｎが電圧Ｖｂｓ以上になるとＬレベルの電圧値を出力する。ただし、電圧値ＶｉｎがＶｈである場合とＶｌである場合を比較すると、電圧値ＶｉｎがＶｈである場合の方が、Ｖｌである場合より、トランジスタＴＲにより定められた電圧Ｖｂｓに到達するまでの時間が短くなる。
【００５１】
したがって、可変抵抗ＶＲ２の可変部を調節することにより、トランジスタＴＲがオンからオフになるタイミング、すなわち電圧信号回路３０Ａが出力ＶｏｕｔをＨレベルからＬレベルに切り替えるタイミングを調整できる。そうすると、電圧値ＶｉｎがＶｌである場合照明負荷２に対する交流電圧Ｖ０がＶ０ｏｎｌになった時から電力を供給し、電圧値ＶｉｎがＶｈである場合照明負荷２に対する交流電圧Ｖ０がＶ０ｏｎｈになった時から電力を供給する。制御部５０は、電圧信号回路３０Ａが出力する信号である出力Ｖｏｕｔが正（Ｈレベル）からゼロ（Ｌレベル）に変化したことを検知すると、スイッチ２０をオフ状態からオン状態に制御（導通制御）する。これにより、照明負荷２は交流電源３から電力の供給を受け、点灯を開始する。
【００５２】
上記実施例と同様、交流周期のゼロクロス時点から所定の時間経過を基準としてスイッチ２０のオン／オフ制御を行うのではなく、可変抵抗ＶＲ２を調節することで照明負荷２の点灯状態が安定する所定の電圧値を基準としてスイッチ２０のオン／オフ制御を行うと、交流電源３が不安定な場合であっても安定した点灯状態で点灯できる電圧になった時から供給を開始でき、ちらつきを防止することができる。このように、調光装置１Ａは、印加される電圧値が所定の電圧値以上になるとその旨の信号を出力する電圧信号回路３０Ａを備えることで、所定の電圧値を基準として交流電圧の供給を開始でき、交流電源の出力電圧が不安定な場合であっても安定的な点灯状態で点灯させて調光することができる。
【００５３】
＜第三実施例＞
図６を参照し、本実施例における調光装置１Ｂを説明する。本実施例の説明では、上記実施例の説明との重複記載を避けるために、同じ構成要素には同じ符号を付して説明を省略し、異なる構成要素を中心に説明する。調光装置１Ｂは、一対の端子１０Ａ、１０Ｂと、スイッチ２０と、電圧信号回路３０Ｂと、受付部４０と、制御部５０と、電源部７０と、整流ダイオードＤ１、Ｄ２とを備える。なお、同様に、一対の端子１０Ａ、１０Ｂ間にスイッチ２０と並列に電気的に接続されて後段の電圧信号回路３０Ｂに過剰な電圧が印加されることを防止するため電圧波形の先頭値を制限する交流先頭値制御回路６０を備えることが好ましい。
【００５４】
電圧信号回路３０Ｂは、整流ダイオードＤ１／Ｄ２を介して端子１０Ａ／１０Ｂに電気的に接続されて交流電源３の交流電圧Ｖ０を印加され、この印加される電圧値が所定の電圧値以上または未満の場合に異なる電圧レベルを出力するように構成されている。具体的には、電圧信号回路３０Ｂは、抵抗Ｒ２と、抵抗Ｒ４と、抵抗Ｒ３と、トランジスタＴＲとを有する。抵抗Ｒ４と抵抗Ｒ２は直列に電気的に接続されている。抵抗Ｒ４の一端は、整流ダイオードＤ１を介して端子１０Ａに、整流ダイオードＤ２を介して端子１０Ｂに電気的に接続され、他端は、抵抗Ｒ２に接続されている。抵抗Ｒ２の一端は、抵抗Ｒ４の他端と、他端は接地されている。抵抗Ｒ４は高電位側に、抵抗Ｒ２は低電位側に配置されている。
【００５５】
抵抗Ｒ３とトランジスタＴＲは、電気的に直列に接続され、抵抗Ｒ３の一端とトランジスタＴＲのコレクタが接続されている。抵抗Ｒ３の他端は、制御部電源７２からの電力を供給する制御部５０の正極端子に、トランジスタＴＲのエミッタは、接地された制御部５０の負極端子に接続されている。すなわち、抵抗Ｒ３は高電位側に、トランジスタＴＲは低電位側に配置されている。
【００５６】
トランジスタＴＲのベースは、抵抗Ｒ２と抵抗Ｒ４の接続点に接続され、これら２つの抵抗により分圧されて降下した電圧を電圧値Ｖｉｎとして入力される。抵抗Ｒ４と抵抗Ｒ２は、調光装置１Ｂが使用される照明負荷２の種類に対して定められる。すなわち、調光装置１Ｂは、照明負荷２の種類に応じて所定の電圧値を可変としたものではなく、特定の種類の照明負荷２にのみ対応した、所定の電圧値を不変とした構成である。使用される照明負荷２の種類が限定的であり、可変とする必要がない場合は、構成が簡便となるため好ましい。
【００５７】
上記実施例（第二実施例）で説明したように、トランジスタＴＲのベースには、交流電圧Ｖ０が抵抗Ｒ４により分圧されて降下した電圧が電圧値Ｖｉｎとして入力される。交流電圧Ｖ０の周期において、電圧値ＶｉｎがトランジスタＴＲにより定められた電圧Ｖｂｓ未満の場合トランジスタＴＲはオフであり、電圧値ＶｉｎがトランジスタＴＲにより定められた電圧Ｖｂｓ以上の場合トランジスタＴＲはオンとなる。
【００５８】
本実施例では、所定の電圧値を不変とした調光装置１Ｂに関するものであるが、抵抗Ｒ４と抵抗Ｒ２を特定の種類の照明負荷２の点灯状態が安定する所定の電圧値となるように適宜定める。これにより、交流周期のゼロクロス時点から所定の時間経過を基準としてスイッチ２０のオン／オフ制御を行うのではなく、点灯状態が安定する所定の電圧値を基準としてスイッチ２０のオン／オフ制御を行うと、交流電源３が不安定な場合であっても安定した点灯状態で点灯できる電圧になった時から供給を開始でき、ちらつきを防止することができる。このように、調光装置１Ｂは、印加される電圧値が所定の電圧値以上になるとその旨の信号を出力する電圧信号回路３０Ｂを備えることで、所定の電圧値を基準として交流電圧の供給を開始でき、交流電源の出力電圧が不安定な場合であっても安定的な点灯状態で点灯させて調光することができる。
【００５９】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、数量、その他の詳細な構成において、当業者が様々な変形を加えることができるものである。
【符号の説明】
【００６０】
１        調光装置
２        照明負荷
３        交流電源
１０Ａ、１０Ｂ    端子
２０      スイッチ
３０      電圧比較回路
３０Ａ    電圧信号回路
４０      受付部
５０      制御部
５１      マイコン制御部
５２      ドライバー
６０      交流先頭値制御回路
７０      電源部
７１      ドライバー電源
７２      制御部電源
Ｖ０      交流電圧
Ｖｚ１    Ｚ１の降伏電圧
Ｖｒ      ＶＲ１が取り得る降下電圧の範囲
Ｖｓ      ＶＲ１の分圧電圧
Ｖｉｎｎ  電圧比較回路内のＯＰ１の反転入力端子（−）へ入力される電圧値
Ｖｉｎｐ  電圧比較回路内のＯＰ１の非反転入力端子（＋）へ入力される電圧値
Ｖｉｎ    電圧比較回路内のトランジスタへ入力される電圧値
Ｖｏｕｔ  電圧比較回路の出力
Ｄｍ      調光信号
【図１】
2019133958.tif 000003
【図２】
2019133958.tif 000004
【図３】
2019133958.tif 000005
【図４】
2019133958.tif 000006
【図５】
2019133958.tif 000007
【図６】
2019133958.tif 000008
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
交流電源と照明負荷との間に電気的に接続される一対の端子と、
前記一対の端子の間に電気的に接続され、前記照明負荷に供給する交流電圧を導通／遮断するスイッチと、
前記一対の端子の間に前記スイッチと並列に電気的に接続され、印加される交流電圧値と所定の電圧値とを比較する電圧比較回路と、
前記照明負荷の出力の大きさを規定する調光レベルを受け付ける受付部と、
前記電圧比較回路の出力と前記調光レベルに応じて前記スイッチを制御する制御部と、
を備える調光装置。
【請求項２】
前記所定の電圧値は、可変であることを特徴とする請求項１に記載の調光装置。
【請求項３】
前記電圧比較回路が出力する信号が、印加される交流電圧値が前記所定の電圧値以上になったことを示す場合に、前記制御部は、前記スイッチを導通するように制御することを特徴とする請求項１または２に記載の調光装置。
【請求項４】
前記制御部は、前記スイッチを導通するように制御した後、前記調光レベルに応じた時間経過時に前記スイッチを遮断するように制御することを特徴とする請求項３に記載の調光装置。
【請求項５】
交流電源と照明負荷との間に電気的に接続される一対の端子と、
前記一対の端子の間に電気的に接続され、前記照明負荷に供給する交流電圧を導通／遮断するスイッチと、
前記一対の端子の間に前記スイッチと並列に電気的に接続され、印加される交流電圧値が所定の電圧値以上になるとその旨の信号を出力する電圧信号回路と、
前記照明負荷の出力の大きさを規定する調光レベルを受け付ける受付部と、
前記電圧信号回路の出力と前記調光レベルに応じて前記スイッチを制御する制御部と、
を備える調光装置。
【手続補正２】
【補正対象書類名】明細書
【補正対象項目名】０００６
【補正方法】変更
【補正の内容】
【０００６】
上記課題を解決するために、交流電源と照明負荷との間に電気的に接続される一対の端子と、一対の端子の間に電気的に接続され、照明負荷に供給する交流電圧を導通／遮断するスイッチと、一対の端子の間にスイッチと並列に電気的に接続され、印加される交流電圧値と所定の電圧値とを比較する電圧比較回路と、照明負荷の出力の大きさを規定する調光レベルを受け付ける受付部と、電圧比較回路の出力と調光レベルに応じてスイッチを制御する制御部と、を備える調光装置が提供される。
これによれば、印加される交流電圧値と所定の電圧値とを比較し、その比較結果と調光レベルに応じて照明負荷に交流電圧を供給することにより、所定の電圧値を基準として交流電圧の供給を開始でき、交流電源の出力電圧が不安定な場合であっても安定的な点灯状態で点灯させて調光する調光装置を提供することができる。
【手続補正３】
【補正対象書類名】明細書
【補正対象項目名】０００８
【補正方法】変更
【補正の内容】
【０００８】
さらに、電圧比較回路が出力する信号が、印加される交流電圧値が所定の電圧値以上になったことを示す場合に、制御部は、スイッチを導通するように制御することを特徴としてもよい。
これによれば、印加される電圧値が所定の電圧値以上になった場合に交流電圧の供給を開始することで、所定の電圧値を基準として照明負荷に交流電圧の供給を開始し、交流電源の出力電圧が不安定な場合であっても安定的な点灯状態で点灯させて調光することができる。
【手続補正４】
【補正対象書類名】明細書
【補正対象項目名】００１０
【補正方法】変更
【補正の内容】
【００１０】
上記課題を解決するために、交流電源と照明負荷との間に電気的に接続される一対の端子と、一対の端子の間に電気的に接続され、照明負荷に供給する交流電圧を導通／遮断するスイッチと、一対の端子の間にスイッチと並列に電気的に接続され、印加される交流電圧値が所定の電圧値以上になるとその旨の信号を出力する電圧信号回路と、照明負荷の出力の大きさを規定する調光レベルを受け付ける受付部と、電圧比較回路の出力と調光レベルに応じてスイッチを制御する制御部と、を備える調光装置が提供される。
これによれば、印加される交流電圧値が所定の電圧値以上になるとその旨の信号を出力する電圧信号回路を備えることで、所定の電圧値を基準として交流電圧の供給を開始でき、交流電源の出力電圧が不安定な場合であっても安定的な点灯状態で点灯させて調光する調光装置を提供することができる。